(57)【要約】【課題】未放映分のテレビジョン番組の内容に関連する情報をいち早くユーザーに対して提供することができる可能性が高まる情報提供システムを提供する。【解決手段】本発明の情報提供システムは、所定テレビジョン番組放映中の第１時間から放映後の第２時間までの間に、前記テレビジョン番組の内容に関連する所定画像へのアクセス数の監視を行う画像アクセス数監視手段１１２と、前記画像アクセス数監視手段１１２によって監視される、前記内容に関連する所定画像のアクセス数が所定アクセス数以上であるか否かを判定する画像アクセス数判定手段１１３と、前記画像アクセス数判定手段１１３による判定結果が肯定である場合に、前記所定画像がリンクされているリンク先情報を解析するリンク先解析手段１１４と、前記リンク先解析手段１１４によって解析された解析情報をユーザーに提示する解析情報提示手段１１５と、からなることを特徴とする。【選択図】  図１
2011055064.tif 000002
【特許請求の範囲】
【請求項１】
所定テレビジョン番組放映中の第１時間から放映後の第２時間までの間に、前記テレビジョン番組の内容に関連する所定キー情報へのアクセス数の監視を行うアクセス数監視手段と、
前記アクセス数監視手段によって監視される、前記内容に関連する所定キー情報へのアクセス数が所定アクセス数以上であるか否かを判定するアクセス数判定手段と、
前記アクセス数判定手段による判定結果に基づいて、前記所定キー情報がリンクされているリンク先情報を解析するリンク先解析手段と、
前記リンク先解析手段によって解析された解析情報をユーザーに提示する解析情報提示手段と、からなることを特徴とする情報提供システム。
【請求項２】
前記リンク先解析手段は、前記テレビジョン番組の内容に関連する所定画像として、今回放映中のテレビジョン番組の内容に関連する所定画像がリンクされているリンク先情報については解析を行わず、次回放映予定のテレビジョン番組の内容に関連する所定画像がリンクされているリンク先情報について解析を行うことを特徴とする請求項１に記載の情報提供システム。
【請求項３】
ユーザーに提示される前記解析情報が、商用施設情報であることを特徴とする請求項１又は請求項２に記載の情報提供システム。
【発明の詳細な説明】
【技術分野】
【０００１】
本発明は、テレビジョン番組に関連する情報をユーザーに対して提供する情報提供システムに関する。
【背景技術】
【０００２】
近年、放映されるテレビジョン番組と関連して電子番組情報（ＥＰＧ）などの電子データが提供されるようになり、ユーザーの嗜好情報を予め登録などしておくことによって、ユーザーの嗜好にあった番組の自動選択などを行い得るようになっている。例えば、特許文献１（特開２００８−１１２５０号公報）には、ユーザーの嗜好にあった番組を自動で選択するために、楽曲等の音声情報を外部から購入した購入履歴、及び前記音声情報のメタ情報を含むプレイリストの少なくとも１つに基づいて抽出された検索用キーワードを送信する電子機器と、前記検索用キーワードとＥＰＧ情報を受信して番組を録画予約する録画装置とを備えた番組選択録画システムが開示されている。
【特許文献１】特開２００８−１１２５０号公報
【発明の概要】
【発明が解決しようとする課題】
【０００３】
従来の技術では、ユーザーの嗜好にあった番組を自動選択して録画を行うことなどでユーザー好みの情報を蓄積することが可能となるが、未放映分のテレビジョン番組の内容に関連する情報をユーザーに提供するまでには至っていない。
【課題を解決するための手段】
【０００４】
上記問題点を解決するために、請求項１に係る発明は、所定テレビジョン番組放映中の第１時間から放映後の第２時間までの間に、前記テレビジョン番組の内容に関連する所定画像へのアクセス数の監視を行う画像アクセス数監視手段と、前記画像アクセス数監視手段によって監視される、前記内容に関連する所定画像のアクセス数が所定アクセス数以上であるか否かを判定する画像アクセス数判定手段と、前記画像アクセス数判定手段による判定結果が肯定である場合に、前記所定画像がリンクされているリンク先情報を解析するリンク先解析手段と、前記リンク先解析手段によって解析された解析情報をユーザーに提示する解析情報提示手段と、からなることを特徴とする情報提供システムである。
【０００５】
また、請求項２に係る発明は、請求項１に記載の情報提供システムにおいて、ユーザーに提示される前記解析情報が、商用施設情報であることを特徴とする。
【０００６】
また、請求項３に係る発明は、請求項１又は請求項２に記載の情報提供システムにおいて、前記リンク先解析手段は、前記テレビジョン番組の内容に関連する所定画像として、今回放映中のテレビジョン番組の内容に関連する所定画像がリンクされているリンク先情報については解析を行わず、次回放映予定のテレビジョン番組の内容に関連する所定画像がリンクされているリンク先情報について解析を行うことを特徴とする。
【発明の効果】
【０００７】
本発明に係る情報提供システムは、テレビジョン番組の内容に関連する所定画像へのアクセス数の監視を行い、この監視結果に基づいて、ユーザーに対して情報提供を行うシステムであり、このようなシステムによれば、比較的簡単なシステム構成によって、未放映分のテレビジョン番組の内容に関連する情報をいち早くユーザーに対して提供することができる可能性が高まる。
【図面の簡単な説明】
【０００８】
【図１】本発明の実施形態に係る情報提供システムの概念を説明する図である。
【図２】本発明の実施形態に係る情報提供システムにおけるテレビ番組情報データベース１３０が格納するデータのイメージ示す図である。
【図３】第１時間から第２時間までの流れ説明する図である。
【図４】本発明の実施形態に係る情報提供システムにおける処理のフローチャートの一例を示す図である。
【図５】画像情報データベースが保持する画像データ例を示す図である。
【図６】リンク先解析手段１１４によって解析される（ブログ）データの一例である。
【図７】登録ユーザー端末装置２００における提供情報の表示形態の一例を示す図である。
【図８】登録ユーザー端末装置２００における提供情報の表示形態の一例を示す図である。
【発明を実施するための形態】
【０００９】
以下、本発明の実施の形態を図面を参照しつつ説明する。図１は本発明の実施形態に係る情報提供システムの概念を説明する図である。図１において、１は通信回線網、１０はパーソナルコンピュータ、２０は情報提供サーバー、１００は情報提供システム、１１０は演算部、１１１は番組情報解析手段、１１２は画像アクセス数監視手段、１１３は画像アクセス数判定手段、１１４はリンク先解析手段、１１５は解析情報提示手段、１２０は画像情報データベース、１３０はテレビ番組情報データベース、２００は登録ユーザー端末装置、２１０はパーソナルコンピュータ、２２０はスマートフォン、２３０はＰＤＡ、２４０はカーナビゲーションシステムをそれぞれ示している。
【００１０】
通信回線網１は、インターネット通信網、携帯電話通信網、公衆回線網、ＷＡＮやＬＡＮなどの通信網全般であり、各装置を周知の通信プロトコルによって接続して、それぞれの装置間を通信可能とするインフラストラクチャーである。パーソナルコンピュータ１０はブラウザなどの周知のソフトウエアがインストールされると共に、通信回線網１に接続され、ＷＷＷを利用した情報の検索・閲覧を可能とするものである。また、情報提供サーバー２０はホームページやブログなどによって情報発信を行っているサーバーである。上記のようなパーソナルコンピュータ１０は、情報提供サーバー２０に対してアクセスしデータを取得することで、パーソナルコンピュータ１０の表示装置などに閲覧情報を表示させることが可能となる。
【００１１】
情報提供システム１００は、キーワードを元にWWW上で提供されている画像の検索や文
書データの検索を行うことが可能なシステム構成を基本的に有している。このような画像検索システムは、周知のポータルサイトに設けられている一般的なシステムを利用することができるので詳細についての説明は割愛するが、このような画像検索システムに関連して、情報提供システム１００は画像情報データベース１２０を有している。この画像情報データベース１２０は少なくとも、画像を検索するために用いられるキーワードデータと、画像データと、当該画像データが提供されているリンク先に係るＵＲＬデータと、が対応づけられて格納されているものである。また、情報提供システム１００は、もう一つのデータベースとしてテレビ番組情報データベース１３０を備えている。このテレビ番組情報データベース１３０は、テレビジョン番組のコンテンツに係るメタデータを配信するサーバーやＥＰＧ（電子番組表）などからテレビジョン番組の放映予定データを収集し蓄積するものである。
【００１２】
なお、以下の実施形態では、WWW上で提供されている画像データをキー情報としたアク
セスについてモニターして利用する実施形態について説明するが、本発明はこれに限定さ
れず、モニター対象のキー情報として、WWW上で提供されているキーワード（文書データ
）とすることも可能である。
【００１３】
情報提供システム１００は、演算処理を実行するＣＰＵなどの演算部１１０を備えている。このような演算部１１０は、不図示の記憶手段に記憶保持されるプログラムを実行することで、番組情報解析手段１１１、画像アクセス数監視手段１１２、画像アクセス数判定手段１１３、リンク先解析手段１１４及び解析情報提示手段１１５として動作するようになっている。
【００１４】
番組情報解析手段１１１は、テレビ番組情報データベース１３０を解析することで、所定のテレビジョン番組の内容に関連するキーワードを抽出する。
【００１５】
また、画像アクセス数監視手段１１２は、所定テレビジョン番組放映中のある時間（第１時間）から、このテレビジョン番組放映後の時間（第２時間）までの間について、このテレビジョン番組の内容に関連する所定画像（画像情報データベース１２０に格納されている画像データ）へのアクセス数の監視を行うものである。なお、第１時間や第２時間について後により詳しく説明する。
【００１６】
また、画像アクセス数判定手段１１３は、画像アクセス数監視手段１１２によって監視されている、所定テレビジョン番組の内容に関連する所定画像データへのアクセス数が所定アクセス数以上であるか否かを判定するものである。
【００１７】
また、リンク先解析手段１１４は、画像データがリンクされているリンク先情報を解析するものである。画像情報データベース１２０には、画像データと、当該画像データが提供されているリンク先に係るＵＲＬデータとが対応づけられて格納されている。リンク先解析手段１１４は、ある画像データに対して対応しているリンク先のＵＲＬデータを元に、リンク先にジャンプして、リンク先で提供されているデータについて文章解析などを行うことで、リンク先で提供されているデータから、有用なデータについて抽出することができるようになっている。
【００１８】
また、解析情報提示手段１１５は、リンク先解析手段１１４で抽出された有用データを、電子メールや電子メッセンジャーなどのフォームに加工して、ユーザーのパーソナルコンピュータ２１０やスマートフォン２２０、ＰＤＡ２３０などの登録ユーザー端末装置２００に送信して、ユーザーに情報提示するものである。また、この解析情報提示手段１１５は、必要に応じて、ユーザーの車両に搭載されるカーナビゲーションシステム２４０に配信可能な情報形態として、これを送信することができるようになっている。
【００１９】
登録ユーザー端末装置２００は、情報提供システム１００が提供する情報送信サービスに登録するユーザーが所有する情報端末装置であり、情報提供システム１００から送信される情報提供データを受信して表示することが可能であればどのような形態であっても構わないが、一般的には、パーソナルコンピュータ２１０やスマートフォン２２０、ＰＤＡ２３０、カーナビゲーションシステム２４０などを挙げることができる。
【００２０】
次に、本発明の実施形態に係る情報提供システム１００が備えるテレビ番組情報データベース１３０についてより詳しく説明する。図２は本発明の実施形態に係る情報提供システム１００におけるテレビ番組情報データベース１３０が格納するデータのイメージ示す図である。このようなテレビ番組情報データベース１３０は、テレビジョン番組のコンテンツに係るメタデータを配信するサーバーやＥＰＧ（電子番組表）などからテレビジョン番組の放映予定データを収集し蓄積しており、例えばそのデータ形態は図２に示すようなものである。
【００２１】
テレビ番組情報データベース１３０は、例えば、番組の放映時間、番組名、番組のジャンル、番組の簡単な内容などから構成する。ここで、本実施形態に係る情報提供システム１００が、このテレビ番組情報データベース１３０を具体的にどのように利用し、未放映番組の内容に関連する情報を取得するかについて、定期的に放映される番組である番組名「イかなきゃグルメ」を例に説明する。仮に、この番組は所定の曜日の８：００〜８：３０に毎週放映される３０分番組であるものとする。
【００２２】
このような３０分番組では、次週予告は番組の後半の１０分間の間に放送されることが一般的である。そこで、番組放映終了１０分前（８：２０）から番組放映終了の１時間後（９：３０）までの間の画像検索状況を情報提供システム１００が監視するようにしている。本実施形態では、前者の時間（８：２０）を第１時間、後者の時間（９：３０）を第２時間として表現する。なお、この例では、第１時間を番組放映終了１０分前とし、第２時間を番組放映終了の１時間後としたが、このような時間設定は任意とすることができる。ただ、第１時間は番組放映中の時間であり、第２時間は番組放映後の時間である、という条件については必要条件となる。
【００２３】
以上のように定義される第１時間と第２時間と、その間に発生が予想される事象について図３を参照して説明する。図３は第１時間から第２時間までの流れ説明する図である。図３において、第１時間として定義される８：２０から５分経過した８：２５に（Ａ）に示すように、番組で次回予告が放映されるとする。テレビ番組におけるこのような次回予告には、次回に放映予定の映像が含まれることが一般的である。そしてテレビ番組の視聴者の一部は、このような次回放映予定の映像をみて、これに基づいて（Ｂ）や（Ｃ）に示すように画像検索を行うことが考えられる。そこで、本実施形態に係る情報提供システム１００では、このような視聴者による画像検索の動向、より詳しくは所定の画像データに対するアクセス数の動向を監視しておき、このアクセス数の動向によって、次回の未放映分のテレビジョン番組の内容に関連する情報を得ようとするものである。上記のような視聴者による画像検索は、番組放映後いつまでも続けて行われることはないものと考えられるので、前記のように第２時間として定義される９：３０にはシステムによるアクセス数の動向監視は終了される。
【００２４】
また、上記のような視聴者による画像検索は、今回放映分のテレビジョン番組の内容に関連するものであることも考えられる。そこで、本実施形態に係る情報提供システム１００では、今回放映分のテレビジョン番組の内容に関連する画像検索の動向については、これを考慮しないようなアルゴリズムが採用されている。
【００２５】
次に、以上のような概念を情報提供システム１００で実行する場合のシステムの処理例について説明する。図４は本発明の実施形態に係る情報提供システム１００における処理のフローチャートの一例を示す図である。なお、図４に示すフローチャートは、情報提供システム１００の一つの番組に対する処理例である。したがって、情報提供システム１００はこのような処理を番組数分だけ実行することとなる。また、図４に示すフローチャートでは、処理イメージを把握しやすいように、図２に示す番組名「イかなきゃグルメ」を例に説明している。
【００２６】
ステップＳ１００で、情報提供システム１００のシステム処理が開始されると、続いてステップＳ１０１に進み、テレビ番組情報データベース１３０から番組情報（本例では、「イかなきゃグルメ」に関する今回分情報と次回分情報）を取得する。ステップＳ１０２では、テレビ番組情報データベース１３０から取得された番組情報から第１時間と第２時間の設定を行う。本例でいくと、第１時間として８：２０が設定され、第２時間として９：３０が設定される。
【００２７】
また、ステップＳ１０３では、テレビ番組情報データベース１３０からの番組情報を解析することで、今回放映分キーワードとして、「老舗」、「寿司」、「そば」、「洋食」などを抽出する。
【００２８】
また、ステップＳ１０４では、テレビ番組情報データベース１３０から番組情報として、次回放映分のデータが存在するか否かが判定される。本例では、存在するので、ステップＳ１０４における判定はＹＥＳとなり、ステップＳ１０５に進み、次回放映分の番組情報からキーワードとして、「スイーツ」、「逸品」などを抽出する。
【００２９】
仮に、次回放映分のデータが存在しいような場合（本例ではないような場合）には、ステップＳ１０６に進み、番組ジャンルのみ（ex．グルメ）を抽出して、このようなジャンル情報を画像選択に役立てる。
【００３０】
ステップＳ１０７で第２時間の経過を経て、続いて、ステップＳ１０８に進む。ステップＳ１０８では、第１時間から第２時間までの、画像情報データベース１２０に蓄積される画像データに対するアクセス数を取得する。
【００３１】
ステップＳ１０９では、所定アクセス数以上の画像が存在するか否かが判定される。ステップＳ１０９における判定の結果がＮＯであれば、次回放映分に関連する情報を取得することはできない。この場合、ステップＳ１１５に進み、情報提供システム１００の処理を終了する。
【００３２】
Ｓ１０９における判定の結果がＹＥＳであれば、ステップＳ１１０に進み、所定アクセス数以上の画像を抽出する。ステップＳ１１１では、ステップＳ１１０で抽出された画像から、今回放映分キーワード（「老舗」、「寿司」、「そば」、「洋食」など）に関連する画像は除くように処理する。そして、ステップＳ１１２では、次回放映分キーワード（「スイーツ」、「逸品」など）に関連する画像に絞るように処理する。ステップＳ１１３では、ステップＳ１１０〜ステップＳ１１２を経て残された画像のリンク先データをリンク先解析手段１１４によって解析する。
【００３３】
このように本実施形態に係る情報提供システム１００では、リンク先解析手段１１４は、テレビジョン番組の内容に関連する所定画像として、今回放映中のテレビジョン番組の内容に関連する所定画像がリンクされているリンク先情報については解析を行わず、次回放映予定のテレビジョン番組の内容に関連する所定画像がリンクされているリンク先情報について解析を行うようにしており、これにより登録ユーザーに提供する情報の精度を向上させている。なお、今回放映中のテレビジョン番組の内容に関連する所定画像がリンクされているリンク先情報については解析を行わず、という表現は解析の対象としないという意味であり、次回放映分キーワード（「スイーツ」、「逸品」など）に関連する画像から今回放映分キーワード（「老舗」、「寿司」、「そば」、「洋食」など）に関連する画像を除くという概念も含めて用いている。
【００３４】
ここで、図５を参照して、本実施形態に係る情報提供システム１００における画像の抽出について説明する。図５は画像情報データベース１２０が保持する画像データ例を示す図である。図５は、画像Ａ乃至画像Ｈそれぞれの画像データに対する、第１時間から第２時間までのアクセス数、リンク先、リンク先解析手段１１４による解析の有無を図示している。この例では、画像Ｃが、所定のアクセス数（例えば、３０００程度）以上であり、かつ、次回放映分キーワード（「スイーツ」、「逸品」など）に合致する画像データであるので、この画像Ｃが情報提供システム１００によって抽出される。
【００３５】
リンク先解析手段１１４は、画像データがリンクされているリンク先であるホームページやブログで提供されているデータについて文章解析などを行うことで、例えば、商用施設情報などの情報を抽出する。図６は解析対象となるブログ例を示している。リンク先解析手段１１４は、このようなブログなどを解析することで、先の商用施設情報などの情報を抽出することができる。
【００３６】
ステップＳ１１４では、解析情報提示手段１１５によって、ステップＳ１１３で解析された情報を、登録ユーザーの登録ユーザー端末装置２００に送信するできる形態に変換して、これを登録ユーザーに送信する処理を実行する。このような解析情報提示手段１１５によって、登録ユーザー端末装置２００に送信される情報の表示例が図７及び図８に示されている。
【００３７】
図７は登録ユーザー端末装置２００として、ユーザーがパーソナルコンピュータ２１０やスマートフォン２２０、ＰＤＡ２３０などの装置を用いている場合の表示例であり、この場合は電子メールの形態でこれらの装置に情報を送信している。
【００３８】
また、図８は登録ユーザー端末装置２００として、ユーザーがるカーナビゲーションシステム２４０を用いているような場合である。このような場合は、カーナビゲーションシステム２４０で取得できる位置情報と関連づけて、情報提示を行うことができる。
【００３９】
以上のように、本発明に係る情報提供システム１００は、テレビジョン番組の内容に関連する所定画像へのアクセス数の監視を行い、この監視結果に基づいて、ユーザーに対して情報提供を行うシステムであり、このようなシステムによれば、比較的簡単なシステム構成によって、未放映分のテレビジョン番組の内容に関連する情報をいち早くユーザーに対して提供することができる可能性が高まる。
【符号の説明】
【００４０】
１・・・通信回線網、１０・・・パーソナルコンピュータ、２０・・・情報提供サーバー、１００・・・情報提供システム、１１０・・・演算部、１１１・・・番組情報解析手段、１１２・・・画像アクセス数監視手段、１１３・・・画像アクセス数判定手段、１１４・・・リンク先解析手段、１１５・・・解析情報提示手段、１２０・・・画像情報データベース、１３０・・・テレビ番組情報データベース、２００・・・登録ユーザー端末装置、２１０・・・パーソナルコンピュータ、２２０・・・スマートフォン、２３０・・・ＰＤＡ、２４０・・・カーナビゲーションシステム
【図１】
2011055064.tif 000003
【図２】
2011055064.tif 000004
【図３】
2011055064.tif 000005
【図４】
2011055064.tif 000006
【図５】
2011055064.tif 000007
【図６】
2011055064.tif 000008
【図７】
2011055064.tif 000009
【図８】
2011055064.tif 000010